(57)【要約】【課題】互いに異なる複数のキーワードを、該各キーワードの出現頻度や重要性に応じたそれぞれの形態で強調表示する。【解決手段】画像形成装置１０において、制御部３１は、データからテキストを抽出して、テキストに含まれるキーワードを検出し、該テキストにおける該キーワードを強調表示して、該強調表示されたキーワードを含む該テキストを画像形成部１２により記録紙に記録させるものである。制御部３１は、キーワードの強調表示に際し、テキストに含まれるキーワードの検出回数を計数して、キーワードの検出回数とデータの重み付け係数との積に基づき該キーワードの強調表示の形態を変更する。【選択図】図２
2020086536.tif 000002
【特許請求の範囲】
【請求項１】
キーワード及びデータを入力する入力部と、
前記データからテキストを抽出して、前記テキストに含まれる前記キーワードを検出し、該テキストにおける該キーワードを強調表示して、該強調表示されたキーワードを含む該テキストを作成する制御部と、を備え、
前記制御部は、前記テキストに含まれる前記キーワードの検出回数を計数して、前記キーワードの検出回数と、前記データの重み付け係数との積に基づき該キーワードの強調表示の形態を変更する電子機器。
【請求項２】
前記制御部は、前記データの量に基づき該データの重み付け係数を設定する請求項１に記載の電子機器。
【請求項３】
前記制御部は、ユーザーにより前記入力部に入力される指示に基づき前記データの重み付け係数を設定する請求項１に記載の電子機器。
【請求項４】
表示部を備え、
前記制御部は、前記入力部にデータが入力される度に、キーワードの検出回数とデータの重み付け係数との積を算出して、前記積を積算した合計値を算出し、複数のキーワードについて算出したそれぞれの前記合計値に基づき該各キーワードの優先順位を設定して、前記各キーワードを前記優先順位で並べたキーワードリストを前記表示部の画面に表示させ、ユーザーが前記入力部に前記表示部の画面上の前記キーワードリストにおけるキーワードを指定する指示を入力すると、前記指定されたキーワードを、前記入力部を通じて入力する請求項１乃至請求項３のいずれか１つに記載の電子機器。
【請求項５】
前記制御部は、複数のデータが同時に入力された場合に、前記各データ別に、該各データに共通のキーワードの検出回数とデータの重み付け係数との積を算出すると共に、前記各データの類似度を判定し、前記類似度が大きくなる程、前記各データについて算出したそれぞれの積が小さくなるように該各積を補正して、前記補正した各積を前記合計値に積算する請求項４に記載の電子機器。
【請求項６】
前記データは、キャラクターコードを含むドキュメントを示すデータであり、
前記制御部は、前記データに含まれる前記キャラクターコードを認識して、前記ドキュメントからテキストを抽出する請求項１乃至請求項５のいずれか１つに記載の電子機器。
【請求項７】
前記データは、画像を示すデータであり、
前記制御部は、前記データに対して文字認識処理を施して、前記画像からテキストを抽出する請求項１乃至請求項５のいずれか１つに記載の電子機器。
【請求項８】
前記データは、音声又は音声を伴う動画を示すデータであり、
前記制御部は、前記データに対して音声認識処理を施して、前記音声をテキストに変換し、前記テキストを抽出する請求項１乃至請求項５のいずれか１つに記載の電子機器。
【請求項９】
請求項１乃至請求項８のいずれか１つに記載の電子機器と、
前記制御部により作成された前記強調表示されたキーワードを含むテキストに基づいて記録紙に画像を形成する画像形成部と、を備える画像形成装置。
【発明の詳細な説明】
【技術分野】
【０００１】
本発明は、電子機器及び画像形成装置に関し、特にドキュメントや画像などに含まれるキーワードを強調表示するための技術に関する。
【背景技術】
【０００２】
特許文献１では、原稿画像から文書を抽出して記憶し、またキーワード及び指示内容を入力し、キーワードをその文書から検索して、キーワードが検索された場合に、その文書を含む原稿画像を、キーワードと共に入力した指示内容に応じて処理している。これにより、例えばキーワードに一致する原稿画像の部分を、消去したり、塗りつぶしたり、強調表示したりすることができる。
【先行技術文献】
【特許文献】
【０００３】
【特許文献１】特表２００１−３５０７６３号公報
【発明の概要】
【発明が解決しようとする課題】
【０００４】
しかしながら、特許文献１では、互いに異なる複数のキーワードをドキュメントや画像などから抽出して、これらのキーワードを強調表示することはできるが、これは、キーワードに一致する原稿画像の部分を強調表示するだけであり、各キーワード別に、強調表示の形態を変更するものではなく、このため、特許文献１に記載の技術による強調表示では、各キーワードの判別を容易に行うことはできない。また、各キーワード別に、強調表示の形態を単に変更しただけでは、キーワードの出現頻度や重要性を知ることまではできない。
【０００５】
本発明は、上記の事情に鑑みなされたものであり、互いに異なる複数のキーワードを、該各キーワードの出現頻度や重要性に応じたそれぞれの形態で強調表示することを目的とする。
【課題を解決するための手段】
【０００６】
本発明の一局面にかかる電子機器は、キーワード及びデータを入力する入力部と、前記データからテキストを抽出して、前記テキストに含まれる前記キーワードを検出し、該テキストにおける該キーワードを強調表示して、該強調表示されたキーワードを含む該テキストを作成する制御部と、を備え、前記制御部は、前記テキストに含まれる前記キーワードの検出回数を計数して、前記キーワードの検出回数と、前記データの重み付け係数との積に基づき該キーワードの強調表示の形態を変更するものである。
【０００７】
本発明の一局面にかかる画像形成装置は、上記電子機器と、前記制御部により作成された前記強調表示されたキーワードを含むテキストに基づいて記録紙に画像を形成する画像形成部と、を備えるものである。
【発明の効果】
【０００８】
本発明によれば、互いに異なる複数のキーワードを、該各キーワードの出現頻度や重要性に応じたそれぞれの形態で強調表示することができる。
【図面の簡単な説明】
【０００９】
【図１】本発明の一実施形態にかかる画像形成装置を示す断面図である。
【図２】本実施形態の画像形成装置の主要内部構成を示すブロック図である。
【図３Ａ】ファイルのデータからテキストを抽出して、このテキスト含まれるキーワードを強調表示し、この強調表示されたキーワードを含むテキストを記録紙に形成するための処理手順を示すフローチャートである。
【図３Ｂ】図３Ａに続く処理を示すフローチャートである。
【図４】表示部に表示された初期画面を示す図である。
【図５】表示部に表示されたファイルリスト、ソフトキーボード、及びリストキーを示す図である。
【図６】複数のキーワードが記憶されているキーワードリストを示す図である。
【図７】キーワードの強調表示の形態が複数記憶されている強調表示データテーブルを示す図である。
【図８】キーワードが強調表示されたテキストを例示する図である。
【発明を実施するための形態】
【００１０】
以下、本発明の一実施形態にかかる電子機器及び画像形成装置について図面を参照して説明する。
【００１１】
図１は、本発明の一実施形態にかかる画像形成装置を示す断面図である。図１に示すように本実施形態の画像形成装置１０は、本発明に係る電子機器の一例であり、コピー機能、プリンター機能、ファクシミリ機能のような複数の機能を兼ね備えたＭＦＰ（複合機）である。この画像形成装置１０は、画像読取部１１と、画像形成部１２とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記画像データ又は外部から受信した画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１５】
次に、図２は、本実施形態の画像形成装置の主要内部構成を示すブロック図である。図２に示すように本実施形態の画像形成装置１０は、画像読取部１１と、画像形成部１２と、表示部２１と、操作部２２と、タッチパネル２３と、ファクシミリ通信部２４と、ネットワーク通信部２５と、記憶部２８と、制御ユニット２９とを備えている。これらの構成要素は、互いにバスを通じてデータ又は信号の送受信が可能とされている。
【００１６】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどの物理キーを備えている。
【００１７】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。
【００１８】
ネットワーク通信部（ＮＷ通信部）２５は、不図示のＬＡＮチップなどの通信モジュールを備える通信インターフェイスであり、ネットワーク上のサーバー４０に接続され、サーバー４０との間で画像データなどの送受信を行う。
【００１９】
ファクシミリ通信部（ＦＡＸ通信部）２４は、画像データを、ネットワークを通じて他の画像形成装置やファクシミリ装置（図示せず）などとの間で送受信する。
【００２０】
記憶部２８は、ＳＳＤ（Solid State Drive）、ＨＤＤ（Hard Disk Drive）などの大容量の記憶装置であって、各種のアプリケーションプログラムや種々のデータを記憶している。
【００２１】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２２】
制御ユニット２９は、画像形成装置１０を統括的に制御する。制御ユニット２９は、画像読取部１１、画像形成部１２、表示部２１、操作部２２、タッチパネル２３、ファクシミリ通信部２４、ネットワーク通信部２５、及び記憶部２８などと接続されており、これらの構成要素の動作制御や、該各構成要素との間での信号またはデータの送受信を行う。
【００２３】
制御部３１は、画像形成装置１０による画像形成に必要な各種の処理などを実行する処理部としての役割を果たす。また、制御部３１は、タッチパネル２３から出力される検出信号あるいは操作部２２の物理キーの操作に基づき、ユーザーにより入力された操作指示を受け付ける。更に、制御部３１は、表示部２１の表示動作を制御する機能、ファクシミリ通信部２４及びネットワーク通信部２５の通信動作を制御する機能を有する。
【００２４】
尚、画像読取部１１、操作部２２、タッチパネル２３、ファクシミリ通信部２４、及びネットワーク通信部２５は、特許請求の範囲における「入力部」の一例である。
【００２５】
このような構成の画像形成装置１０において、ユーザーは、操作部２２又はタッチパネル２３を操作することによりファクシミリ通信機能、コピー機能、プリンター機能、及びスキャナー機能のいずれかを選択して、ジョブを実行させることができる。例えば、ユーザーが、コピー機能を選択して、ジョブの実行を指示すると、制御部３１は、画像読取部１１により原稿の画像を読取らせ、画像形成部１２により原稿の画像を記録紙に印刷させる。
【００２６】
また、画像形成装置１０においては、画像、ドキュメント、音声、動画などのデータが入力又は受信されると、このデータのファイルを記憶部２８に一旦記憶させる。制御部３１は、予め設定されたキーワード強調表示モードを設定されると、そのデータのファイルを記憶部２８から読み出して、このファイルのデータからテキストを抽出する。
【００２７】
例えば、画像読取部１１により読取られた原稿の画像を示すデータのファイルが記憶部２８に記憶されている場合、制御部３１は、その原稿の画像を示すデータのファイルを記憶部２８から読み出し、このファイルのデータに対して周知のＯＣＲの処理を施して、原稿の画像からテキストを抽出する。
【００２８】
また、ドキュメントを示すデータがサーバー４０から送信されてネットワーク通信部２５で受信され、このデータのファイルが記憶部２８に記憶されている場合、制御部３１は、そのドキュメントを示すデータのファイルを記憶部２８から読み出し、このファイルのデータに含まれるキャラクターコードを認識して、ドキュメントからテキストを抽出する。
【００２９】
あるいは、音声又は音声を伴う動画を示すデータがサーバー４０から送信されてネットワーク通信部２５で受信され、このデータのファイルが記憶部２８に記憶されている場合、制御部３１は、その音声又は音声を伴う動画を示すデータのファイルを記憶部２８から読み出し、このファイルのデータに対して音声認識処理を施して、音声をテキストに変換し、このテキストを抽出する。尚、データのヘッダー、フッター、日付など、強調表示を必要としないテキストは抽出しないものとする。この場合、制御部３１は、例えばデータのフォーマットに基づきヘッダー、フッター、日付などを抽出して、これらを強調表示の対象から除外する。
【００３０】
そして、制御部３１は、操作部２２又はタッチパネル２３の操作によりキーワードが入力されると、上記抽出したテキストに含まれるキーワードを検出し、該テキストにおける該キーワードを強調表示して、該強調表示されたキーワードを含む該テキストを作成する。更に、制御部３１は、該強調表示されたキーワードを含む該テキストを、(i)記憶部２８に記憶させる、及び(ii)画像形成部１２により記録紙に記録させる、という処理を行う。
【００３１】
また、制御部３１は、キーワードの強調表示に際し、テキストに含まれるキーワードの検出回数を計数して、キーワードの検出回数と、データに付与されている重み付け係数との積に基づき該キーワードの強調表示の形態を設定し、この形態により該キーワードを強調表示する。これにより、互いに異なる複数のキーワードが、該各キーワードの出現頻度や重要性に応じたそれぞれの形態で強調表示されることとなる。
【００３２】
また、制御部３１は、データを入力する度に、キーワードの検出回数と該データの重み付け係数との積を算出して、この積を積算(合算)した合計値を算出し、複数のキーワードの合計値に基づき該各キーワードの優先順位を設定して、各キーワードを優先順位で並べたキーワードリストを表示部２１に表示させ、タッチパネル２３を通じてのタッチ操作によりキーワードリストにおける任意のキーワーを入力できるようにする。この場合も、制御部３１は、その入力されたキーワードを上記抽出したテキストから検出し、該キーワードの検出回数と該データの重み付け係数との積に基づき該キーワードの強調表示の形態を設定し、該テキストにおける該キーワードをその設定した形態で強調表示して、該強調表示されたキーワードを含む該テキストを作成する。
【００３３】
次に、上記のようにキーワード強調表示モードが設定されたときに、ファイルのデータからテキストを抽出して、このテキストに含まれるキーワードを強調表示し、この強調表示されたキーワードを含むテキストを記録紙に形成するための処理手順を、図３Ａ、図３Ｂに示すフローチャートなどを詳しく参照して説明する。
【００３４】
まず、制御部３１は、図４に示すような初期画面Ｇ１を表示させているものとする（Ｓ１０１）。この初期画面Ｇ１には、それぞれの機能に対応付けられた複数の機能キー４１ａ〜４１ｈ等が表示されている。この初期画面Ｇ１が表示されている状態で、ユーザーがキーワード強調表示モードを設定するための機能キー４１ｈにタッチ操作すると、制御部３１は、タッチパネル２３を通じて、機能キー４１ｈに対するタッチ操作を検出し、キーワード強調表示モードを設定する（Ｓ１０２）。また、制御部３１は、図５に示すような各ファイルのファイルリストＦＬ、ソフトキーボードＳＫ、及びリストキーＬＫを表示部２１の画面に表示させる（Ｓ１０３）。
【００３５】
このとき、ユーザーは、タッチパネル２３に対するタッチ操作によりファイルリストＦＬのいずれかのファイルを指定する（Ｓ１０４）。
【００３６】
続いて、ユーザーは、タッチパネル２３に対するタッチ操作によりソフトキーボードＳＫのキーを順次指示して（Ｓ１０５「ボード」）、キーワードを入力するか（Ｓ１０６）、あるいはタッチパネル２３に対するタッチ操作によりリストキーＬＫを指示する（Ｓ１０５「リスト」）。ユーザーがリストキーＬＫを指示した場合、図６に示すようなキーワードリストＫＬが予め記憶部２８に記憶されているので、制御部３１は、そのキーワードリストＫＬを記憶部２８から読み出して、このキーワードリストＫＬを表示部２１の画面に表示させる（Ｓ１０７）。ユーザーは、タッチパネル２３に対するタッチ操作によりキーワードリストＫＬのいずれかのキーワードを指定して入力する（Ｓ１０８）。
【００３７】
ここで、ユーザーがソフトキーボードＳＫのキーを順次指示して、キーワードを入力したものとする（Ｓ１０５「ボード」、Ｓ１０６）。この場合、制御部３１は、Ｓ１０４で指定されたファイルのデータを記憶部２８から読み出して、このデータに含まれるテキストを抽出し（Ｓ１０９）、この抽出したテキストとＳ１０６で入力されたキーワードを比較して、そのテキストに含まれる該キーワードを検出し、該キーワードの検出回数（出現回数）ＮＤを計数する（Ｓ１１０）。
【００３８】
また、制御部３１は、Ｓ１０４で指定されたファイルのデータの量を求めて、該データの量に基づき該データの重み付け係数ＷＦを設定し（Ｓ１１１）、キーワードの検出回数（出現回数）ＮＤとデータの重み付け係数ＷＦの積ＮＷ（＝ＮＤ×ＷＦ）を求める（Ｓ１１２）。例えば、データの重み付け係数ＷＦは、該データの量が大きくなるほど、大きくなるように設定される。
【００３９】
尚、データの重み付け係数ＷＦを、該データの量が大きくなるほど小さくなるように設定してもよい。また、データの重み付け係数ＷＦを、ユーザーが任意に設定しても構わない。この場合、例えば制御部３１は、ファイルのデータを記憶部２８から読み出したときに、該データの重み付け係数ＷＦとして複数の値を表示したポップアップ画面を表示部２１に表示させ、ユーザーが該ポップアップ画面上のいずれかの値をタッチ操作すると、タッチパネル２３を通じて、そのタッチ操作された値を検出し、この検出した値をデータの重み付け係数ＷＦとして設定する。
【００４０】
記憶部２８には、例えば、図７に示すような強調表示データテーブルＤＴ１が予め記憶されている。このため、制御部３１は、記憶部２８内の強調表示データテーブルＤＴ１を参照して、上記積ＮＷに基づき、Ｓ１０６で入力されたキーワードの強調表示の形態を設定する（Ｓ１１３）。この図７に示す強調表示データテーブルＤＴ１は、積ＮＷの複数の数値範囲ΔＡ１〜ΔＡｎとそれぞれの強調表示の形態（背景赤色、背景青色、…、文字赤色、文字青色など）を対応付けて予め記憶したものである。例えば、制御部３１は、上記積ＮＷが数値範囲ΔＡ１に入ると判定すると、数値範囲ΔＡ１に対応付けられた背景赤色をキーワードの表示形態として設定する。
【００４１】
そして、制御部３１は、Ｓ１０９で抽出したテキストに含まれるＳ１０６で入力されたキーワードに対して背景赤色の強調表示を施して（Ｓ１１４）、この強調表示されたキーワードを含む該テキストを表示部２１の画面にプレビュー表示させる（Ｓ１１５）。また、制御部３１は、該テキストを記憶させるか否かを問うポップアップ画面を表示部２１の画面に表示させ、タッチパネル２３を通じて、該ポップアップ画面におけるＯＫキー及びＮＧキーのいずれがタッチ操作されたかを判定し（Ｓ１１６）、ＯＫキーがタッチ操作されると（Ｓ１１６「Ｙｅｓ」）、該テキストを記憶部２８に記憶させ（Ｓ１１７）、ＮＧキーがタッチ操作されると（Ｓ１１６「Ｎｏ」）、Ｓ１１７を省略する。更に、制御部３１は、ユーザーにより操作部２２のスタートキーが操作されると、該テキストを画像形成部１２により記録紙に記録させる（Ｓ１１８）。
【００４２】
このようにファイルのデータからテキストを抽出し、このテキストに含まれるキーワードの検出回数ＮＤを計数すると共に、データの重み付け係数ＷＦを設定し、キーワードの検出回数ＮＤとデータの重み付け係数ＷＦの積ＮＷ（＝ＮＤ×ＷＦ）を求めて、この積ＮＷに基づきキーワードの強調表示の形態を設定し、キーワードをその形態で強調表示して、この強調表示されたキーワードを含むテキストを画像形成部１２により記録紙に記録させている。また、複数のキーワードが設定された場合は、該各キーワード別に、キーワードの検出回数ＮＤとデータの重み付け係数ＷＦの積ＮＷが求められて、この積ＮＷに基づきキーワードの強調表示の形態が設定され、キーワードがその形態で強調表示されることとなる。これにより、例えば図８に示すようなテキストＴＸが画像形成部１２により記録紙Ｐに記録される。このテキストＴＸにおいては、キーワード「なにぬねの」が背景赤色で強調表示され、またキーワード「あいうえお」が背景青色で強調表示されている。
【００４３】
続いて、制御部３１は、記憶部２８内の図６に示すキーワードリストＫＬを参照して、Ｓ１０６で入力されたキーワードがキーワードリストＫＬに記憶されているか否かを判定し（Ｓ１１９）、該キーワードがキーワードリストＫＬに記憶されていなければ（Ｓ１１９「Ｎｏ」）、該キーワードの検出回数ＮＤとデータの重み付け係数ＷＦの積ＮＷを該キーワードの合計値ＴＶとして設定して（Ｓ１２０）、該キーワードと合計値ＴＶを対応付けてキーワードリストＫＬに記憶させ（Ｓ１２１）、図３に示す処理を終了する。
【００４４】
制御部３１は、Ｓ１２１でキーワードと合計値ＴＶを対応付けて記憶させるに際し、キーワードに対応付けられた合計値ＴＶが大きくなる程、該キーワードの優先順位が上位となるように、キーワードリストＫＬにおける該キーワードの順位を設定する。これにより、キーワードリストＫＬにおいては、最大の合計値ＴＶに対応付けられたキーワードの優先順位が最も高く、最小の合計値ＴＶに対応付けられたキーワードの優先順位が最も低くなる。
【００４５】
また、制御部３１は、キーワードがキーワードリストＫＬに記憶されていれば（Ｓ１１９「Ｙｅｓ」）、該キーワードの検出回数ＮＤとデータの重み付け係数ＷＦの積ＮＷをキーワードリストＫＬにおける該キーワードの合計値ＴＶに積算(合算)して、該合計値ＴＶを更新し（Ｓ１２２）、図３に示す処理を終了する。従って、キーワードリストＫＬにおけるキーワードと同一のキーワードがＳ１０６で入力されて、ファイルのデータから該テキストが抽出され、このテキストに含まれるキーワードが強調表示された場合は、該キーワードの検出回数ＮＤとデータの重み付け係数ＷＦの積ＮＷがキーワードリストＫＬにおける該キーワードの合計値ＴＶに積算されて、該合計値ＴＶが増大される。これにより、キーワードリストＫＬにおけるキーワードと同一のキーワードの入力及び強調表示が繰り返される度に、該キーワードの合計値ＴＶが増大し、キーワードの優先順位が高くされる。
【００４６】
このため、ユーザーは、上記のようにリストキーＬＫを指示して（Ｓ１０５「リスト」）、キーワードリストＫＬを表示部２１の画面に表示させた場合（Ｓ１０７）、キーワードリストＫＬの各キーワードの優先順位を確認しながら、タッチ操作によりキーワードリストＫＬの任意のキーワードを指定して入力することができる（Ｓ１０６）。このキーワードリストＫＬの任意のキーワードが指定されて入力された場合も、上記のようなＳ１０９〜Ｓ１２２の処理が行われる。
【００４７】
このように本実施形態では、制御部３１は、キーワード強調表示モードが設定されると、ファイルのデータを記憶部２８から読み出して、このファイルのデータからテキストを抽出し、このテキストから操作部２２又はタッチパネル２３の操作により入力されたキーワードを検出して、テキストに含まれるキーワードの検出回数を計数し、キーワードの検出回数ＮＤとデータの重み付け係数ＷＦとの積ＮＷに基づき該キーワードの強調表示の形態を設定し、この形態でキーワードを強調表示して、該強調表示されたキーワードを含むテキストを画像形成部１２により記録紙に記録させている。このため、互いに異なる複数のキーワードがテキストに含まれる場合は、これらのキーワードを、該各キーワードの出現頻度や重要性に応じたそれぞれの形態で強調表示することができる。
＜変形例＞
【００４８】
変形例では、制御部３１は、複数のファイルのデータが同時に入力された場合に、各データ別に、該各データに共通のキーワードの検出回数ＮＤとデータの重み付け係数ＷＦとの積ＮＷを算出すると共に、各データの類似度を判定し、類似度が大きくなる程、各データについて算出したそれぞれの積ＮＷの和が該各積ＮＷの平均値に近づくように該各積ＮＷを補正して小さくし、該各積ＮＷを合計値ＴＶに積算している。
【００４９】
例えば、２つのファイルＦ１、Ｆ２のデータＤ１、Ｄ２が同時に入力され、キーワード「玉造」が入力されたものとする。制御部３１は、キーワード「玉造」を各データＤ１、Ｄ２に共通のものとして設定し、各データＤ１、Ｄ２別に、キーワード「玉造」の検出回数ＮＤを計数すると共に、データの重み付け係数ＷＦを設定し、検出回数ＮＤと重み付け係数ＷＦの積ＮＷを算出する。また、制御部３１は、既知のアルゴリズムに基づき各データＤ１、Ｄ２の類似度Ｓを判定する。そして、制御部３１は、類似度Ｓが大きくなる程、各データＤ１、Ｄ２について算出したそれぞれの積ＮＷの和が該各積ＮＷの平均値に近づくように該各積ＮＷを補正して小さくし、該各積ＮＷを合計値ＴＶに積算する。これにより、２つのデータＤ１、Ｄ２が略同一である場合は、各データＤ１、Ｄ２について算出したそれぞれの積ＮＷの和が該各積ＮＷの平均値に近似し、つまり該各積ＮＷの和が略１／２にされ、該各積ＮＷが合計値ＴＶに与える影響を低減させることができる。
【００５０】
なお、上記実施形態では、本発明に係る電子機器の一実施形態として画像形成装置１０を示しているが、本発明に係る電子機器はこれに限られず、他の電子機器、例えば、コンピューター、医療機器、カーナビゲーション機器等であってもよい。また、上記実施形態では、本発明の一実施形態に係る画像形成装置として複合機を用いて説明しているが、これは一例に過ぎず、コピー機、プリンター、ファクシミリ装置等の他の画像形成装置でもよい。
【００５１】
また、図１乃至図８を用いて説明した上記実施形態の構成及び処理は、本発明の一例に過ぎず、本発明を当該構成及び処理に限定する趣旨ではない。
【符号の説明】
【００５２】
１０      画像形成装置
１１      画像読取部
１２      画像形成部
２１      表示部
２２      操作部
２３      タッチパネル
２４      ファクシミリ通信部
２５      ネットワーク通信部
２８      記憶部
２９      制御ユニット
３１      制御部
【図１】
2020086536.tif 000003
【図２】
2020086536.tif 000004
【図３Ａ】
2020086536.tif 000005
【図３Ｂ】
2020086536.tif 000006
【図４】
2020086536.tif 000007
【図５】
2020086536.tif 000008
【図６】
2020086536.tif 000009
【図７】
2020086536.tif 000010
【図８】
2020086536.tif 000011